(57)【特許請求の範囲】
【請求項１】
糸巻付面を形成する糸巻付面形成体の周囲で糸巻付アームを周回させて前記糸巻付面に糸を巻き付け、糸巻付面と緯糸係止体との係脱作用により緯糸の測長貯留及び前記糸巻付面からの緯糸引き出しを制御し、前記糸巻付アームの回転軸に相対回転可能に支持された糸巻付面形成体に対して糸巻付アームの周回軌道を挟んで対向する固定体と糸巻付面形成体とにそれぞれヨークを介して磁石を取り付け、前記周回軌道を挟んで対向する磁石間の磁力によって糸巻付面形成体を静止保持する緯糸測長貯留装置において、
前記ヨークに、前記磁石を取り付けるヨークの取り付け面を包囲する吸着力強化用の突条を設け、前記磁石の端面全体が前記ヨークと接着剤を介することなく直接接合するとともに、前記突条の高さを０．５ｍｍとし、磁石の磁力のみによってヨークの取り付け面に磁石を止着したジェットルームにおける緯糸測長貯留装置。
【請求項２】
前記ヨークは、固定体又は糸巻付面形成体に対してねじで締め付け固定され、ねじはヨークと同一材料で作られている請求項１に記載のジェットルームにおける緯糸測長貯留装置。
【発明の詳細な説明】
【０００１】
【産業上の利用分野】
本発明は、糸巻付アームの周回によって緯糸を巻き付けられる糸巻付面形成体を静止保持する緯糸測長貯留装置に関するものである。
【０００２】
【従来の技術】
糸巻付面に緯糸を巻き付けるための糸巻付アームは回転軸に止着されており、糸巻付面形成体はこの回転軸に相対回転可能に支持されている。糸巻付アームの周回によって緯糸を巻き付けられる糸巻付面形成体は静止している必要があり、この静止のために磁力が利用される。磁石は、糸巻付面形成体に対して糸巻付アームの周回軌道を挟んで対向する固定体と糸巻付面形成体とにヨークを介して取り付けられる。糸巻付面形成体は前記周回軌道を挟んで対向する磁石間の磁力によって静止保持される。
【０００３】
糸巻付面形成体を静止保持するには強力な磁力が必要である。実公平６−４７２０２４号公報では円板形状のヨークに円板形状の磁石を止着して磁力の強化を図った対策が開示されている。ヨークに磁石を止着した構成は磁石単体の場合よりも磁力強度を高める。
【０００４】
【発明が解決しようとする課題】
しかしながら、磁石の磁力のみによってヨークに磁石を止着する方式では対向する磁石間の磁力によってヨークと磁石との間の吸着力が弱められ、磁石がヨークから離脱するおそれがある。そのため、ヨークに磁石を止着するには接着剤が必要となり、組み付けのための作業性が極めて悪い。しかも、対向する磁石の対向面側の磁極を互いに異極にする必要があり、そのために磁石におけるヨークとの接合面における磁極も限定される。磁石におけるヨークとの接合面における決められた磁極とは異なる磁極の面を誤ってヨークに接合し、この状態で接着剤で止着してしまった場合には磁石を壊さなければヨークから磁石を引き離すことはできない。
【０００５】
実開平５−７７２８２号公報では、ヨークに凹部を形成し、この凹部に磁石を収容した構成が開示されているが、接着剤を使ってヨークに磁石を止着することは実公平６−４７２０２４号公報の場合と何ら変わらない。
【０００６】
本発明は、接着剤を用いることなくヨークと磁石とを止着することを目的とする。
【０００７】
【課題を解決するための手段】
そのために請求項１の発明では、ヨークに、磁石を取り付けるヨークの取り付け面を包囲する吸着力強化用の突条を設け、磁石の端面全体がヨークと接着剤を介することなく直接接合するとともに、突条の高さを０．５ｍｍとし、磁石の磁力のみによってヨークの取り付け面に磁石を止着した。
【０００８】
請求項２の発明では、固定体又は糸巻付面形成体に対してヨークをねじで締め付け固定し、ヨークと同一材料でねじを作った。
【０００９】
【作用】
磁石をヨークの取り付け面に吸着した状態では吸着力強化用の突条が磁石の周囲を包囲する。磁石の周囲を包囲する、高さ０．５ｍｍの吸着力強化用の突条がヨークと磁石との間の磁束洩れを抑制し、磁石とヨークとの間の吸着力が増加する。従って、磁石が自身の磁力のみによってヨークに吸着していても、糸巻付アームの周回軌道を挟んで対向する磁石間の磁力によって磁石がヨークから離脱するようなことはない。
【００１０】
固定体又は糸巻付面形成体にヨークを取り付けるためのねじをヨークと同一材料で作れば、ヨークと磁石との間の磁束量が増え、磁石とヨークとの間の吸着力が増加する。
【００１１】
【実施例】
以下、本発明を具体化した第１実施例を図１〜図６に基づいて説明する。
１はモータ内蔵部であり、モータ内蔵部１内のモータ（図示略）の作動により回転軸２が回転する。モータ内蔵部１は支持ブラケット２２上に支持されている。回転軸２には糸巻付アーム３が斜交して接続されている。図１に示すように回転軸２内には基端から中間部にかけて糸通路２−１が形成されており、糸巻付アーム３内の糸通路３−１が糸通路２−１に接続している。モータ内蔵部１の前面には非磁性体製のカバー４が止着されており、回転軸２の先端部には非磁性体製の基板５がベアリング６を介して相対回転可能に支持されている。回転軸に止着された糸巻付アーム３は固定体となるカバー４と基板５との間を周回する。
【００１２】
基板５の前面には複数の測長分割体７がねじ８により締め付け固定されている。複数の測長分割体７は基板５の周方向に配列されており、各測長分割体７が略円形の糸巻付面を形成する。糸巻付アーム３は、測長分割体７と共に糸巻付面形成体を構成する基板５の周囲を周回し、糸通路２−１，３−１を通された緯糸Ｙが糸巻付面に巻き付けられる。
【００１３】
１つの測長分割体７の近傍には電磁ソレノイド９が配設されており、緯糸係止体９−１が電磁ソレノイド９の励消磁により駆動される。緯糸係止体９−１は糸巻付面と係脱し、糸巻付アーム３から繰り出される緯糸Ｙが緯糸係止体９−１の係止作用によって糸巻付面上に巻付貯留される。緯糸係止体９−１が糸巻付面から離脱すれば糸巻付面上の巻付糸の引き出しが可能となる。
【００１４】
糸巻付アーム３の周回軌道を挟んだカバー４と基板５との対向面上には複数の凹部４−１，５−１が形成されている。図４及び図５に示すようにカバー４側の凹部４−１と基板５側の凹部５−１とは同数であり、凹部４−１，５−１は周方向に等間隔に配列されている。各凹部４−１，５−１には円板形状のヨーク１０，１１が収容されている。ヨーク１０，１１はねじ１２によって凹部４−１，５−１の底部に締め付け固定されている。
【００１５】
図２及び図３に示すようにヨーク１０，１１の周縁には吸着力強化用の突条１０−１，１１−１が形成されている。突条１０−１，１１−１は取り付け面１０−２，１１−２を包囲しており、取り付け面１０−２，１１−２には円板形状の磁石１３，１４が自身の磁力のみによって吸着している。磁石１３，１４の径は取り付け面１０−１，１１−１の径よりも僅かに小さくしてあり、磁石１３，１４の端面全体が取り付け面１０−２，１１−２に接合している。
【００１６】
この実施例では、カバー４側の凹部４−１に収容されたヨーク１０と対向する磁石１３の端面の磁極をＮ極、基板５側の凹部５−１に収容されたヨーク１１と対向する磁石１４の端面の磁極をＳ極にしてある。このような磁極配置によって磁石１３，１４がヨーク１０，１１に吸着すると共に、糸巻付アーム３の周回軌道を挟んで対向する磁石１０，１１が引き合い、回転する回転軸２に支持された基板５が静止状態に保持される。
【００１７】
磁石１３，１４をヨーク１０，１１の取り付け面１０−２，１１−２に吸着した状態では突条１０−１，１１−１が磁石１３，１４の周囲を包囲し、ヨーク１０と磁石１３との間及びヨーク１１と磁石１４との間の磁束洩れが抑制される。そのため、磁石１３とヨーク１０との間及び磁石１４とヨーク１１との間の吸着力が増加する。
【００１８】
図６は、突条１０−１，１１−１の高さｈと、磁石１３，１４間の距離Ｈと、磁石１３，１４間の吸引力Ｆとの関係を示すグラフである。図６で示す関係は、磁力のみによってヨークに吸着された一対の磁石を対向させて両磁石間の吸引力Ｆを測定する実験から得たものである。曲線Ｃ０  はｈ＝０、曲線Ｃ１  はｈ＝０．１ｍｍ、曲線Ｃ２  はｈ＝０．２ｍｍ、曲線Ｃ３  はｈ＝０．３ｍｍ、曲線Ｃ４  はｈ＝０．４ｍｍ、曲線Ｃ５  はｈ＝０．５ｍｍ、曲線Ｃ６  はｈ＝４．６ｍｍの各場合の距離Ｈと吸引力Ｆとの関係を表す。Ｈ＝Ｈ０  は従来より採用されている距離である。
【００１９】
従来の場合を表す曲線Ｃ０  によれば、突条１０−１，１１−１がない場合にはＨ＝Ｈ１  で対向する磁石１３，１４がヨークから離脱して互いに吸着する。ｈ＝０．１ｍｍの場合にはＨ＝Ｈ２  で磁石１３，１４がヨーク１０，１１から離脱する。ｈ＝０．２ｍｍの場合にはＨ＝Ｈ３  で磁石１３，１４がヨーク１０，１１から離脱する。ｈ＝０．３ｍｍの場合にはＨ＝Ｈ４  で磁石１３，１４がヨーク１０，１１から離脱する。ｈ＝０．４ｍｍの場合にはＨ＝Ｈ５  で磁石１３，１４がヨーク１０，１１から離脱する。ｈ＝０．５ｍｍ及びｈ＝４．６ｍｍの場合は、ほぼ同じ距離Ｈ＝Ｈ６  付近で磁石１３，１４がヨーク１０，１１から離脱する。
【００２０】
図６の実験結果は、突条１０−１，１１−１がヨーク１０，１１と磁石１３，１４との間の吸着力を増加することを明確に示す。磁石１３，１４の磁力のみでヨーク１０，１１に磁石１３，１４を止着した場合にも、突条１０−１，１１−１の存在がヨーク１０，１１と磁石１３，１４との離間の阻止に寄与する。従って、接着剤を用いることなくヨーク１０，１１に磁石１３，１４を吸着させるだけでよく、磁石１３，１４の取り付け、取り外し作業が容易になり、組み付け作業性が非常によい。そして、磁石１３，１４間の吸引力によって磁石１３，１４がヨーク１０，１１から離脱しないように安全を見込んだ距離Ｈまで磁石１３，１４間の間隔を狭めることができる。このような距離Ｈの短縮は糸巻付アーム３の周回軌道を挟んで対向する磁石１３，１４間の吸引力を高め、カバー４及び基板５に配列される磁石１３，１４の個数を減らすことができる。
【００２１】
次に、図７及び図８の実施例を説明する。第１実施例と同一の構成部材には同一の符号を付してある。図７の実施例のヨーク１５には一対の磁石１６，１７が自身の磁力のみによって止着される。突条１５−１は各磁石１６，１７を取り付ける取り付け面１５−２，１５−３を分離するように形成されている。取り付け面１５−２，１５−３に接合する磁石１６，１７の接合面の磁極は互いに異極にしてある。
【００２２】
図８の実施例のヨーク１８には３つの磁石１９，２０，２１が自身の磁力のみによって止着される。突条１８−１は各磁石１９〜２１を取り付ける取り付け面１８−２，１８−３，１８−４を分離するように形成されている。中央の取り付け面１８−２に接合する磁石１９の接合面の磁極は両側の取り付け面１８−３，１８−４に接合する磁石２０，２１の接合面の磁極とは異ならせてある。
【００２３】
図７、図８のような吸着構成によれば、糸巻付アーム３の周回軌道を挟んで対向する磁石間の吸着力が従来の場合に比してほぼ倍増する。従って、カバー４及び基板５に配列される磁石の個数を減らすことができる。
【００２４】
なお、前記各実施例に用いられるねじ１２をヨークと同一の材料（低炭素鋼）で作れば、ねじ１２がヨークの一部となり、ヨークと磁石との間の磁束量が増える。従って、糸巻付アーム３の周回軌道を挟んで対向する磁石間の吸引力が増大する。
【００２５】
次に、図９及び図１０の実施例を説明する。第１実施例と同一の構成部材には同一の符号を付してある。この実施例では、カバー４に収容孔４−２が形成されており、基板５にも収容孔５−２が形成されている。収容孔４−２，５−２の対向側の周縁には複数の突起４−３，５−３が収容孔４−２，５−２側へ突設されている。磁石１３，１４は収容孔４−２，５−２の対向側から収容孔４−２，５−２へ入れられており、ヨーク１０，１１は反対側から収容孔４−２，５−２へ入れられている。磁石１３，１４はヨーク１０，１１の取り付け面１０−２，１１−２に吸着し、突条１０−１，１１−１が突起４−３，５−３に当接する。
【００２６】
対向する磁石１３，１４同士が吸引するため、ヨーク１０，１１が突起４−３，５−３に強く押接される。従って、この実施例ではヨーク１０，１１をカバー４及び基板５に取り付けるためのねじが不要となり、コストが低減する。
【００２７】
前記した実施例から把握できる請求項記載以外の発明について以下にその効果と共に記載する。
（１）請求項１又は請求項２において、固定体又は糸巻付面形成体に収容孔を設けると共に、収容孔の周壁に突起を形成し、収容孔内でヨークと磁石とを吸着させると共に、吸着強化突起を前記突起に当接したジェットルームにおける緯糸測長貯留装置。
【００２８】
この場合、コストに関して有利となる。
【００２９】
【発明の効果】
以上詳述したように各請求項の発明では、磁石を取り付けるヨークの取り付け面を包囲する吸着力強化用の突条を設け、前記突条の高さを０．５ｍｍとし、磁石の磁力のみによってヨークの取り付け面に磁石を止着したので、ヨークと磁石との取り付け、取り外しが容易となり、組み付け性が向上する。
【００３１】
請求項２の発明では、固定体又は糸巻付面形成体にヨークを止めるねじをヨークと同一材料で作ったので、糸巻付アームの周回軌道を挟んで対向する磁石間の吸引力を増加し得る。
【図面の簡単な説明】
【図１】本発明を具体化した第１実施例を示す側断面図。
【図２】要部拡大側断面図。
【図３】要部分解断面図。
【図４】図１のＡ−Ａ線断面図。
【図５】図１のＢ−Ｂ線断面図。
【図６】吸着力強化突起の高さと吸着力との関係を示すグラフ。
【図７】別例を示す要部分解斜視図。
【図８】別例を示す要部分解斜視図。
【図９】別例を示す側断面図。
【図１０】要部分解斜視図。
【符号の説明】
３…糸巻付アーム、４…固定体となるカバー、５…糸巻付面形成体を構成する基板、１０，１１，１５，１８…ヨーク、１０−１，１１−１，１５−１，１８−１…吸着力強化用の突起となる突条、１０−２，１１−２，１５−２，１５−３，１８−２，１８−３，１８−４…取り付け面、１３，１４，１６，１７，１９，２０，２１…磁石。
【図１】
0003626525.tif 000002
【図２】
0003626525.tif 000003
【図３】
0003626525.tif 000004
【図４】
0003626525.tif 000005
【図５】
0003626525.tif 000006
【図６】
0003626525.tif 000007
【図７】
0003626525.tif 000008
【図８】
0003626525.tif 000009
【図９】
0003626525.tif 000010
【図１０】
0003626525.tif 000011